(57)【特許請求の範囲】
【請求項１】
複数のパーツ画像を組み合わせた似顔絵画像を表示部に表示させる似顔絵画像表示制御装置において、
予め定められた複数の部位それぞれに対応する複数のパーツ画像が記憶されているパーツ画像記憶手段と、
前記パーツ画像記憶手段に記憶されている各パーツ画像の組み合わせにより作成された似顔絵画像を表示させる第１の表示制御手段と、
この第１の表示制御手段の制御により表示されている似顔絵画像の中の一部のパーツ画像を順番に置き換え表示させる際に用いられる時間データが記憶されている時間データ記憶手段と、
前記第１の表示制御手段の制御により似顔絵画像が表示された後、前記時間データ記憶手段に記憶されている時間データに対応する時間が経過したか否かを判断する判断手段と、
この判断手段により前記時間が経過したと判断される都度、前記表示されている一部のパーツ画像に代えて前記パーツ画像記憶手段から他のパーツ画像を順番に読み出し、この読み出されたパーツ画像を順番に置き換え、前記似顔絵画像の一部が動いているように表示させる第２の表示制御手段と、
を備えていることを特徴とする似顔絵画像表示制御装置。
【請求項２】
複数のパーツ画像を組み合わせた似顔絵画像を表示部に表示させる似顔絵画像表示制御装置において、
予め定められた複数の部位それぞれに対応する複数のパーツ画像が記憶されているパーツ画像記憶手段と、
前記パーツ画像記憶手段に記憶されている各パーツ画像の組み合わせにより作成された似顔絵画像を表示させる第１の表示制御手段と、
複数のパーツ画像それぞれを指定するための指定データと経過時間データとが対応付けて記憶されているデータ記憶手段と、
前記第１の表示制御手段の制御により似顔絵画像が表示された後、前記データ記憶手段に記憶されている経過時間データに対応する時間が経過したか否かを判断する判断手段と、
この判断手段により前記時間が経過したと判断される都度、前記経過時間データに対応付けて前記データ記憶手段に記憶されている指定データを前記データ記憶手段から順次読み出し、この読み出された指定データにて指定されるパーツ画像を前記パーツ画像記憶手段から順次読み出し、前記表示中の似顔絵画像の一部をこの読み出されたパーツ画像で順番に置き換え、前記似顔絵画像の一部が動いているように表示させる第２の表示制御手段と、
を備えていることを特徴とする似顔絵画像表示制御装置。
【請求項３】
顔を構成する複数の部位毎に、複数種類のパーツ画像が記憶されており、そのうちの口のパーツ画像は発生される各音に対応付けて記憶されているパーツ画像記憶手段と、
このパーツ画像記憶手段に記憶されている各パーツ画像を選定するとともに、前記口のパーツ画像については一連の複数の口のパーツ画像を選定する選定手段と、
この選定手段により選定された各パーツ画像を指定するための第１の指定データを記憶するとともに、口のパーツ画像については選定された順番に複数の口のパーツ画像を指定するための第２の指定データを記憶する第２の記憶手段と、
この第２の記憶手段に記憶されている第１および第２の各指定データにより指定されるパーツ画像を組み合わせて作成された似顔絵画像を表示させる第１の表示制御手段と、
この第１の表示制御手段の制御により似顔絵画像が表示された後に、予め定められている経過時間が経過するか否かを判断し、この結果、予め定められている経過時間が経過すると判断される都度、前記第２の記憶手段に記憶されている第２の指定データを前記選定された順番に読み出し、この読み出された第２の指定データにより指定される口のパーツ画像を順番に置き換えてゆき、似顔絵画像の口が動いているように表示させる第２の表示制御手段と、
を備えていることを特徴とする似顔絵画像表示制御装置。
【請求項４】
請求項１から３のいずれかに記載の似顔絵画像表示制御装置において、更に、
前記第２の表示制御手段は、前記口のパーツ画像を順番に置き換えてゆくタイミングで、音を発音させる発音制御手段を備えていることを特徴とする似顔絵画像表示制御装置。
【請求項５】
請求項３に記載の似顔絵画像表示制御装置において、更に、
前記前記第２の記憶手段に記憶されている第２の指定データに対応付けて音データが記憶されている音データ記憶手段を備えており、
前記第２の表示制御手段は、前記第２の指定データにより指定される口のパーツ画像を順番に置き換えてゆくタイミングで、前記音データ記憶手段に記憶されている音データに対応する音を発音させる発音制御手段を備えていることを特徴とする似顔絵画像表示制御装置。
【請求項６】
複数のパーツ画像を組み合わせた似顔絵画像を表示部に表示させる似顔絵画像表示制御方法において、
予め定められた複数の部位それぞれに対応する複数のパーツ画像が記憶されているパーツ画像記憶手段をアクセスし、前記パーツ画像記憶手段に記憶されている各パーツ画像の組み合わせにより作成された似顔絵画像を表示させる第１の表示制御ステップと、
この第１の表示制御ステップの制御により似顔絵画像が表示された後、この表示されている似顔絵画像の中の一部のパーツ画像を順番に置き換え表示させる際に用いられる時間データが記憶されている時間データ記憶手段をアクセスし、この時間データ記憶手段に記憶されている時間データに対応する時間が経過したか否かを判断する判断ステップと、
この判断ステップにより前記時間が経過したと判断される都度、前記表示されている一部のパーツ画像に代えて前記パーツ画像記憶手段から他のパーツ画像を順番に読み出し、この読み出されたパーツ画像を順番に置き換え、前記似顔絵画像の一部が動いているように表示させる第２の表示制御ステップと、
を備えていることを特徴とする似顔絵画像表示制御方法。
【請求項７】
複数のパーツ画像を組み合わせた似顔絵画像を表示部に表示させる似顔絵画像表示制御方法において、
予め定められた複数の部位それぞれに対応する複数のパーツ画像が記憶されているパーツ画像記憶手段をアクセスし、前記パーツ画像記憶手段に記憶されている各パーツ画像の組み合わせにより作成された似顔絵画像を表示させる第１の表示制御ステップと、
この第１の表示制御ステップの制御により似顔絵画像が表示された後、複数のパーツ画像それぞれを指定するための指定データと経過時間データとが対応付けて記憶されているデータ記憶手段をアクセスし、このデータ記憶手段に記憶されている経過時間データに対応する時間が経過したか否かを判断する判断ステップと、
この判断ステップにより前記時間が経過したと判断される都度、前記経過時間データに対応付けて前記データ記憶手段に記憶されている指定データを前記データ記憶手段から順次読み出し、この読み出された指定データにて指定されるパーツ画像を前記パーツ画像記憶手段から順次読み出し、前記表示中の似顔絵画像の一部をこの読み出されたパーツ画像で順番に置き換え、前記似顔絵画像の一部が動いているように表示させる第２の表示制御ステップと、
を備えていることを特徴とする似顔絵画像表示制御方法。
【請求項８】
顔を構成する複数の部位毎に、複数種類のパーツ画像が記憶されており、そのうちの口のパーツ画像は発生される各音に対応付けて記憶されているパーツ画像記憶手段をアクセスし、このパーツ画像記憶手段に記憶されている各パーツ画像を選定するとともに、前記口のパーツ画像については一連の複数の口のパーツ画像を選定する選定ステップと、
この選定ステップにより選定された各パーツ画像を指定するための第１の指定データを記憶するとともに、口のパーツ画像については選定された順番に複数の口のパーツ画像を指定するための第２の指定データを記憶する第２の記憶ステップと、
この第２の記憶ステップにて記憶されている第１および第２の各指定データにより指定されるパーツ画像を組み合わせて作成された似顔絵画像を表示させる第１の表示制御ステップと、
この第１の表示制御ステップの制御により似顔絵画像が表示された後に、予め定められている経過時間が経過するか否かを判断し、この結果、予め定められている経過時間が経過すると判断される都度、前記第２の記憶ステップにて記憶されている第２の指定データを前記選定された順番に読み出し、この読み出された第２の指定データにより指定される口のパーツ画像を順番に置き換えてゆき、似顔絵画像の口が動いているように表示させる第２の表示制御ステップと、
を備えていることを特徴とする似顔絵画像表示制御方法。
【請求項９】
請求項６から８のいずれかに記載の似顔絵画像表示制御方法において、更に、
前記第２の表示制御ステップは、前記口のパーツ画像を順番に置き換えてゆくタイミングで、音を発音させる発音制御ステップを備えていることを特徴とする似顔絵画像表示制御方法。
【請求項１０】
請求項８に記載の似顔絵画像表示制御方法において、更に、
前記前記第２の記憶ステップにて記憶されている第２の指定データに対応付けて音データが記憶されている音データ記憶手段を備えており、
前記第２の表示制御ステップは、前記第２の指定データにより指定される口のパーツ画像を順番に置き換えてゆくタイミングで、前記音データ記憶手段に記憶されている音データに対応する音を発音させる発音制御ステップを備えていることを特徴とする似顔絵画像表示制御方法。
【発明の詳細な説明】
【０００１】
【産業上の利用分野】
本発明は、顔や体形を表示する似顔絵画像表示制御装置及び似顔絵画像表示制御方法に関する。
【０００２】
【従来の技術】
従来、実物の顔に似た似顔絵画像であるモンタージュ画像を作成してこれを表示するモンタージュ装置が知られている。
このモンタージュ装置は、目、鼻、口、眉毛、輪郭、髪型等の人間の顔の各部位ごとに、当該部位の形状を表すパーツ画像であるパーツパターンを各々複数種記憶したパーツパターンメモリを有している。
また、顔のモンタージュ画像の作成の際に、顔の各部位を選択するための部位選択キーと、この部位選択キーの操作により選択された部位を表すパーツパターンを選択するためのパーツパターン選択キー等が設けられている。
そして、任意の顔を作成するために、例えば目から作成する場合には、先ず部位選択キーを押して目の部位を選択する。しかる後に、パーツパターン選択キーを操作して部位選択キーの操作により選択された目の部位に設けられた複数種類のパーツパターンのなかから一種類のパーツパターンを選択する。鼻、口、眉毛、輪郭、髪型に関しても同様の操作を行うことにより、最終的に各部位ごとに選択したパーツパターンの組み合わせに基づいて任意の顔についてのモンタージュ画像を作成することができる。
【０００３】
【発明が解決しようとする課題】
しかしながら、従来のモンタージュ装置にあっては、前述したように、任意の顔を作成するに際して、顔を構成する各部位ごとになされる部位選択キーの操作とその部位選択キーの操作に続いてなされるパーツパターン選択キーの操作との二つの操作を交互に行いながら、モンタージュの作成を行う。よって、白紙の状態から前記二つの操作を行わなければならないことから、希望する顔のモンタージュが完成するまでに多くの時間を要するとともに、複数種類のパーツパターンからいずれかを選択する際に基準となるものがないことから、選択に誤りが生じ易く、よって、迅速かつ正確に所望のモンタージュを作成することができるものではなかった。
【０００４】
本発明は、このような従来の課題に鑑みてなされたものであり、所望の顔や体形の似顔絵画像（モンタージュ画像）を迅速かつ正確に作成することができる似顔絵画像表示制御装置及び似顔絵画像表示制御方法を提供することを目的とするものである。
【０００５】
【課題を解決するための手段】
本発明は、このような目的を達成するために次のような構成を備えている。
【０００６】
すなわち、請求項１記載の発明に係る似顔絵画像表示制御装置は、
複数のパーツ画像を組み合わせた似顔絵画像を表示部に表示させる似顔絵画像表示制御装置において、
予め定められた複数の部位それぞれに対応する複数のパーツ画像が記憶されているパーツ画像記憶手段と、
前記パーツ画像記憶手段に記憶されている各パーツ画像の組み合わせにより作成された似顔絵画像を表示させる第１の表示制御手段と、
この第１の表示制御手段の制御により表示されている似顔絵画像の中の一部のパーツ画像を順番に置き換え表示させる際に用いられる時間データが記憶されている時間データ記憶手段と、
前記第１の表示制御手段の制御により似顔絵画像が表示された後、前記時間データ記憶手段に記憶されている時間データに対応する時間が経過したか否かを判断する判断手段と、
この判断手段により前記時間が経過したと判断される都度、前記表示されている一部のパーツ画像に代えて前記パーツ画像記憶手段から他のパーツ画像を順番に読み出し、この読み出されたパーツ画像を順番に置き換え、前記似顔絵画像の一部が動いているように表示させる第２の表示制御手段と、
を備えていることを特徴とする。
【０００７】
請求項２記載の発明に係る似顔絵画像表示制御装置は、
複数のパーツ画像を組み合わせた似顔絵画像を表示部に表示させる似顔絵画像表示制御装置において、
予め定められた複数の部位それぞれに対応する複数のパーツ画像が記憶されているパーツ画像記憶手段と、
前記パーツ画像記憶手段に記憶されている各パーツ画像の組み合わせにより作成された似顔絵画像を表示させる第１の表示制御手段と、
複数のパーツ画像それぞれを指定するための指定データと経過時間データとが対応付けて記憶されているデータ記憶手段と、
前記第１の表示制御手段の制御により似顔絵画像が表示された後、前記データ記憶手段に記憶されている経過時間データに対応する時間が経過したか否かを判断する判断手段と、
この判断手段により前記時間が経過したと判断される都度、前記経過時間データに対応付けて前記データ記憶手段に記憶されている指定データを前記データ記憶手段から順次読み出し、この読み出された指定データにて指定されるパーツ画像を前記パーツ画像記憶手段から順次読み出し、前記表示中の似顔絵画像の一部をこの読み出されたパーツ画像で順番に置き換え、前記似顔絵画像の一部が動いているように表示させる第２の表示制御手段と、
を備えていることを特徴とする。
【０００８】
請求項３記載の発明に係る似顔絵画像表示制御装置は、
顔を構成する複数の部位毎に、複数種類のパーツ画像が記憶されており、そのうちの口のパーツ画像は発生される各音に対応付けて記憶されているパーツ画像記憶手段と、
このパーツ画像記憶手段に記憶されている各パーツ画像を選定するとともに、前記口のパーツ画像については一連の複数の口のパーツ画像を選定する選定手段と、
この選定手段により選定された各パーツ画像を指定するための第１の指定データを記憶するとともに、口のパーツ画像については選定された順番に複数の口のパーツ画像を指定するための第２の指定データを記憶する第２の記憶手段と、
この第２の記憶手段に記憶されている第１および第２の各指定データにより指定されるパーツ画像を組み合わせて作成された似顔絵画像を表示させる第１の表示制御手段と、
この第１の表示制御手段の制御により似顔絵画像が表示された後に、予め定められている経過時間が経過するか否かを判断し、この結果、予め定められている経過時間が経過すると判断される都度、前記第２の記憶手段に記憶されている第２の指定データを前記選定された順番に読み出し、この読み出された第２の指定データにより指定される口のパーツ画像を順番に置き換えてゆき、似顔絵画像の口が動いているように表示させる第２の表示制御手段と、
を備えていることを特徴とする。
【０００９】
請求項４記載の発明に係る似顔絵画像表示制御装置は、
請求項１から３のいずれかに記載の似顔絵画像表示制御装置において、更に、
前記第２の表示制御手段は、前記口のパーツ画像を順番に置き換えてゆくタイミングで、音を発音させる発音制御手段を備えていることを特徴とする。
【００１０】
請求項５記載の発明に係る似顔絵画像表示制御装置は、
請求項３に記載の似顔絵画像表示制御装置において、更に、
前記第２の記憶手段に記憶されている第２の指定データに対応付けて音データが記憶されている音データ記憶手段を備えており、
前記第２の表示制御手段は、前記第２の指定データにより指定される口のパーツ画像を順番に置き換えてゆくタイミングで、前記音データ記憶手段に記憶されている音データに対応する音を発音させる発音制御手段を備えていることを特徴とする。
【００１２】
【実施例】
以下、本発明の一実施例を図にしたがって説明する。
すなわち、図１は本発明の一実施例を適用した携帯型の電子機器である電子手帳の外観図であり、電子手帳１はヒンジ２を介して連結された表ケース３と裏ケース４とから構成されている。表ケース３側には、ＬＣＤで構成された表示部５が設けられており、該表示部５の下部にはその一側部に基本型顔キー６と表示切換キー７とが設けられているとともに、△キー８と▽キー９が設けられている。さらに、△キー８と▽キー９の下部には、左矢印キー１０、右矢印キー１１、上矢印キー１２、下矢印キー１３、ＯＫキー１４、及び登録キー１５が設けられている。また、表示部５の下部であって他側には、放音部１６が設けられているとともに、モンタージュ作成キー１７、口変化設定キー１８、検索・出力キー１９、自己紹介キー２０、及びＯＮキー２１とＯＦＦキー２２が設けられている。さらに、前記裏ケース４側には、数値キーとアルファベットキー等で構成されたデータ入力キー２３が設けられている。
【００１３】
図２は、電子手帳１の全体構成を示すブロック図である。
前述した各キーの操作情報は、このブロック図において入力部２４からタイマー３０備えたＣＰＵ２５に入力される。該ＣＰＵ２５は、ＲＯＭ２６に予め記憶されているデータ等や、ＲＡＭ２７、合成ＲＡＭ２８に記憶されるデータ等に基づき、この電子手帳１において必要となる全ての制御を実行するとともに、前記表示部５を駆動する表示駆動回路２９を制御する。さらに、ＣＰＵ２５は、音声合成部３１を制御して、音声波形を合成させ、この音声合成部３１で合成された音声波形は、増幅器３２により増幅され、前記放音部１６に配置されたスピーカ３３から放音される。
【００１４】
前記ＲＯＭ２６は、パーツパターンＲＯＭ２６１、基本型顔ＲＯＭ２６２、口パーツパターンＲＯＭ２６３、音声データＲＯＭ２６４、国籍対応言語ＲＯＭ２６５、性別・年令層ＲＯＭ２６６で構成されている。パーツパターンＲＯＭ２６１には、図３に示したように、顔を構成する輪郭、髪型、目、鼻、口等の各部位のパーツパターンが各部位ごとに、０１〜２０までのパーツパターンＮＯ．をもって２０種類ずつ記憶されている。なお、図示を省略したが、このパーツパターンＲＯＭ２６１には、さらに人体を構成する胴、両手、両足の各パーツパターンが各々ＮＯ．０１〜２０をもって２０種類ずつ記憶されている。
【００１５】
前記基本顔ＲＯＭ２６２は、さらに基本型国籍別顔ＲＯＭ（図４）、基本型国籍別用パーツパターンＮＯ．ＲＯＭ（図５）、基本型時代別顔ＲＯＭ（図６）、基本型職業別顔ＲＯＭ（図７）、基本型年令層別顔ＲＯＭ（図８）、基本型性別顔ＲＯＭ（図９）、基本型特徴顔別顔ＲＯＭ（図１０）で構成されている。基本型国籍別顔ＲＯＭには、図４に示したように、日本、イラン（中東）等の各国籍別に対応する国籍１から国籍１００までに、国籍の特徴を加味した顔や髪型を有する基本型顔が各々０１〜１０までに１０パターンずつ記憶されている。つまり、この基本型国籍別顔ＲＯＭには、国籍１００×１０パターン＝１０００種の基本型国籍別顔が記憶されているのである。
【００１６】
そして、図５に示した基本型国籍別用パーツパターンＮＯ．ＲＯＭには、図４に示した各国籍別基本型顔の各部位のパーツパターンＮＯ．が記憶されている。すなわち、この基本型国籍別用パーツパターンＮＯ．ＲＯＭのＮＯ．「１−０１」「１−０２」「１−０３」・・・「１００−１０」において、ハイフンの左側は基本型国籍別顔ＲＯＭ（図４）に記憶された国籍の値を示し、ハイフンの右側は同基本型国籍別顔ＲＯＭに記憶された基本型顔のパターンＮＯ．を示す。
【００１７】
よって、基本型国籍別用パーツパターンＮＯ．ＲＯＭ（図５）において、ＮＯ．１−０１は、基本型国籍別顔ＲＯＭ（図４）の国籍１である日本のパターンＮＯ．１に記憶されている基本型顔に対応し、この基本型顔の輪郭、髪型、命、鼻、口のパーツパターンＮＯ．が「２０」「２０」「２０」「２０」「２０」と記憶されているのである。また、このように基本型国籍別用パーツパターンＮＯ．ＲＯＭ（図５）は、基本型国籍顔ＲＯＭ（図４）に記憶された各基本顔の構成パーツパターンＮＯ．を記憶しているものであることから、前述した国籍１００×１０パターン＝１０００の基本型国籍別顔に対応して、ＮＯ．１−０から１００−１０までに１０００組のパーツパターンＮＯ．群が記憶されている。
【００１８】
基本型時代別顔ＲＯＭには、図６に示したように、日本、米国等の各国における１９７０年代等の各時代の髪型等を加味した基本型顔が時代別に各々複数種記憶されている。基本型職業別顔ＲＯＭには、図７に示したように、「八百屋」「画家」等の職業を加味した基本型顔が各職業ごとに複数記憶されており、基本型年令層別顔ＲＯＭには、図８に示したように、「１才〜６才（幼児層）」「７才〜１２才（小学生代層）」・・・「４０才〜５０才（中年層）」等の各年令層を加味した基本型顔が各年令層別に記憶されている。
【００１９】
基本型性別顔ＲＯＭには、図９に示したように、女性、男性の各性別と国別とを加味した基本型顔が、各性ごとに複数種記憶されており、基本型等顔別顔ＲＯＭには、図１０に示したように、丸顔、視覚顔等の顔の特徴を国別に加味した基本型顔が、特徴顔別に記憶されている。なお、図４の基本型国籍別顔ＲＯＭに対応する図５の基本型国籍別用パーツパターンＮＯ．ＲＯＭが存在するように、図６〜図１０の各顔ＲＯＭに記憶された基本型顔のパーツパターンＮＯ．も、各パターンを構成するパーツパターンＮＯ．が、対応するパーツパターンＮＯ．ＲＯＭ（図示せず）に記憶されている。
【００２０】
他方、口パーツパターンＲＯＭ２３６には、図１１に示したように、日本語での発音時における口の型のパターン群や、英語での発音時における口の型のパターン群等の、言語に応じた口のパターン群が記憶されている。そして、日本語での発音時における口の型のパターン群は、１〜５０の５０種類の形の口が、各々無音である場合と、「あ」「い」「う」・・・の５５音発生させた場合とのパターンとで構成されている。また、英語での発音時の口の型のパターン群も同様に、５０種類の形の口が「Ａ」「Ｂ」・・・とアルファベットの２６音をもって発音させた場合のパターンで構成されている。
【００２１】
また、音声データＲＯＭ２６４には、図１２に示したように、国籍、性別、年令別をもって、「あ」「い」「う」・・・、「Ａ」「Ｂ」「Ｃ」・・・等の一語の音声データと、「相」「ａｂａｎｄａｎ」等の単語の音声データとが記憶されている。さらに、国籍対応言語ＲＯＭ２６５には、図１３に示したように、Ａ，Ｂ、Ｃ・・・の各項ごとに日本、米国、スペイン等の国籍（民族）と、日本語、英語、スペイン語等の当該国籍の者が通常使用する言語の種類とが対応関係をもって記憶されている。性別・年令層ＲＯＭ２６６には、図１４に示したように、男性「０」女性「１」子供「Ｘ」中・高生性「Ｙ」大人「Ｚ」等の性別、年令層を示す符号が記憶されている。したがって、国籍対応使用言語ＲＯＭ２６６の国籍に対応する項”Ａ””Ｂ””Ｃ”・・・と、性別・年令層ＲＯＭ２６６の各符号との組み合わせにより、「日本男性の大人」であれば、Ａ（日本）、Ｏ（男性）、Ｚ（大人）となり、図１５に示したように「Ａ  Ｏ  Ｚ」で表すことができる。
【００２２】
ＲＡＭ２７は、図１６に示したように表示レジスタ２７１と基本型顔エリア２７３が設けられているとともに、項目１，２・・・ごとに個人データエリア２７４とモンタージュデータエリア２７５、及びその他のエリア２７６が区分されている。個人データエリア２７４には、当該個人の国籍、時代、職業、年令、性別、顔の特徴、名前、住所、等が記憶され、モンタージュデータエリア２７５には、輪郭から左足までの、１０部位のパーツパターンＮＯ．が記憶される。その他のエリア２７６には、使用言語、性別、年令層が、前記符号をもって記憶されるととともに、個人データエリア２７４に記憶された「日本」「１９９２年」等を読み上げるに必要な音声データ「に」「ほ」「ん」・・・を示す音声データＮＯ．と、各音声データ「に」「ほ」「ん」・・・の動きに対応する口パーツパターンＮＯ．とが記憶される。また、基本型顔エリア２７３には、後述するように基本型顔を指定した際の輪郭から口までの各部位を構成するパーツパターンＮＯ．が記憶される。
【００２３】
ＲＡＭ２７に設けられた口パーツパターン対応時間ＲＡＭ２７１には、図１７に示したように、アドレス「１」「２」「３」・・・ごとに、図１１に示した口パーツパターンＲＯＭから読みされた口パーツパターンであって、図１６に示した音声データＮＯ．に対応する口パーツパターンのＮＯ．と、これを表示する時間データとが記憶される。したがって、この図１７に示したデータがアドレス順に読み出されることにより、表示部５には、口パーツパターンＮＯ．１が３秒→口パーツパーツＮＯ．５が２秒→口パーツパターンＮＯ．８が３秒→・・・の順で切り替わり、これによりモンタージュ画像の口部分が変化することになる。
【００２４】
次に以上の構成にかかる本実施例の動作について、図１８以降に示したフローチャートに従って説明する。
すなわち、図１８は本実施例のゼネラルフローであり、基本型モンタージュ表示処理を実行した後（ＳＡ１）、個人データ登録処理を実行する（ＳＡ２）。引き続き、モンタージュ作成処理を実行し（ＳＡ３）、口変化設定処理（ＳＡ４）及び検索・出力処理（ＳＡ５）を実行する。
【００２５】
基本型顔モンタージュ表示処理（ＳＡ１）は、図１９及び図２０に示した一連のフローチャートに従った動作である。
すなわち、基本型顔キー６がオン操作されることにより開始され（ＳＢ１）、表示部５に世界地図（世界地図データはＲＯＭ２６に予め記憶されている。）を表示した後（ＳＢ２）、表示切換キー７のオン操作を待つ（ＳＢ３）。この間、ユーザーは表示部５に表示されている世界地図を参照して、入力する国籍名、地域名を決定する。
【００２６】
そして、入力すべき国籍名、地域名が決定した時点で、表示切換キー７がオン操作されると、「国籍名、地域名？」の表示を行った後（ＳＢ４）、国籍名、地域名の入力を待つ（ＳＢ５）。この表示に応じて、ユーザーがデータ入力キー２３を操作し、これにより国籍名、地域名が入力されると、入力された国籍名、地域名をＲＡＭ２７の個人データエリア２７４に記憶する（ＳＢ６）。
しかる後に、基本型国籍別用パーツパターンＮＯ．ＲＯＭ（図５）の各パーツパターンＮＯ．を全て読み出して、入力の国籍名等に対応したモンタージュ画像（基本型顔、各パーツパターンＮＯ．）を一覧表示する（ＳＢ７）。これにより、例えば国籍名「日本」を入力した場合には、図２８に示したように、国籍名「日本」に対応した１０個の基本型顔（３個のみ図示）と、各基本型顔を構成する輪郭から口までのパーツパターＮＯ．が対応関係をもって表示される。
【００２７】
他方、図１９のフローチャートにおいて、国籍名、地域名の入力がない場合には、時代が入力されたか否かを判別し（ＳＢ８）、ユーザーがデータ入力キー２３を操作し、これにより西暦、あるいは元号等が入力されると、入力された国西暦、元号等をＲＡＭ２７の個人データエリア２７４に記憶する（ＳＢ９）。しかる後に、基本型時代別顔ＲＯＭ（図６）から入力の時代に対応したモンタージュ画像を読み出し、これを一覧表示する（ＳＢ１０）。このＳＢ１０の処理により、図６に示した基本型時代別顔ＲＯＭに記憶されている基本型時代別顔のうち、入力された西暦に対応する基本型時代別顔のモンタージュ画像が全て表示部５に表示される。
【００２８】
また、時代が入力されなかった場合には、職業名が入力されたか否かを判別し（ＳＢ１１）、職業名が入力されると、入力された職業名をＲＡＭ２７の個人データエリア２７４に記憶する（ＳＢ１２）。しかる後に、基本型職業別顔ＲＯＭ（図７）から入力の職業名に対応したモンタージュ画像を読み出し、これを一覧表示する（ＳＢ１３）。このＳＢ１３の処理により、図７に示した基本型職業別顔ＲＯＭに記憶されている基本型職業別顔のうち、入力された職業名に対応する基本型職業別顔のモンタージュ画像が全て表示部５に表示される。
【００２９】
さらに、職業名が入力されなかった場合には、年令が入力されたか否かを判別し（ＳＢ１４）、年令が入力されると、入力された年令（生年月日、世代を含む）をＲＡＭ２７の個人データエリア２７４に記憶する（ＳＢ１５）。しかる後に、基本型年令層別顔ＲＯＭ（図８）から入力の年令に対応したモンタージュ画像を読み出し、これを一覧表示する（ＳＢ１６）。このＳＢ１６の処理により、図８に示した基本型年令層別顔ＲＯＭに記憶されている基本型年令層別顔のうち、入力された年令に対応する基本型年令層別顔のモンタージュ画像が全て表示部５に表示される。
【００３０】
また、年令が入力されなかった場合には、性別が入力されたか否かを判別し（図２０のＳＢ１７）、性別が入力されると、入力された性別（男女）をＲＡＭ２７のいずれかの個人データエリア２７４に記憶する（ＳＢ１８）。しかる後に、基本型性別顔ＲＯＭ（図９）から入力の性別に対応したモンタージュ画像を読み出し、これを一覧表示する（ＳＢ１９）。このＳＢ１９の処理により、図９に示した基本型性別顔ＲＯＭに記憶されている基本型性別顔のうち、入力された性別に対応する基本型性別顔のモンタージュ画像が全て表示部５に表示される。
【００３１】
また、性別が入力されなかった場合には、顔の特徴が入力されたか否かを判別し（ＳＢ２０）、顔の特徴が入力されると、入力された特徴顔をＲＡＭ２７の個人データエリア２７４に記憶する（ＳＢ２１）。しかる後に、基本型特徴顔別顔ＲＯＭ（図１０）から入力の特徴顔に対応したモンタージュ画像を読み出し、これを一覧表示する（ＳＢ２２）。このＳＢ２２の処理により、図１０に示した基本型特徴顔別顔ＲＯＭに記憶されている基本型特徴顔別顔のうち、入力された特徴顔に対応する基本型性別顔のモンタージュ画像が全て表示部５に表示される。
【００３２】
また、この図１９及び図２０に示した一連のフローチャートでは、ＳＢ７、ＳＢ１０、ＳＢ１３、ＳＢ１６、ＳＢ１９，ＳＢ２２のいずれかの処理が終了するとリターンして再度実行される。したがって、最初の実行時に「国籍名または地域名」の入力を行い、リターン後再度実行される都度、「時代」「職業名」「年令」「性別」「顔の特徴」を入力することにより、図１６に例示したように個人データエリア２７４の項目「１」に、国籍「日本」、時代「１９９２年」、職業「なし」、性別「男性」、顔の特徴「丸顔」等が記憶される。
【００３３】
一方、ゼネラルフローの個人データ登録処理（ＳＡ２）は、図２１に示したフローチャートに従って行われ、個人データが入力されたか否かを判別する（ＳＣ１）。ユーザーがデータ入力キー２３を操作し、これにより個人データが入力されると、入力された個人データ（名前、住所、電話番号、経歴、趣味など）をＲＡＭ２７の個人データエリア２７４に記憶する（ＳＣ２）。しかる後に、この入力された個人データを表示部５に表示した後（ＳＣ３）、登録キー１５の操作を待ち（ＳＣ４）、登録キー１５が操作されたばらば、ゼネラルフローにリターンする。
【００３４】
このゼネラルフローにおいて、モンタージュ作成処理（ＳＡ３）では、先ず図２２に示したモンタージュ作成・登録処理を実行する。すなわち、表示部５に「モンタージュ作成？」の表示を行い（ＳＤ１）、しかる後にモンタージュ作成キー１７の操作を待つ（ＳＤ２）。そして、モンタージュ作成キー１７が操作されたならば、モンタージュ作成処理を実行された後（ＳＤ３）、登録キー１５の操作を待ち（ＳＤ４）、登録キー１５が操作されたならば登録処理を実行して、作成されたモンタージュ画像を登録するとともに、登録される他のモンタージュ画像との区切りを示す区切コードを記憶する（ＳＤ５）。
【００３５】
この図２２に示したモンタージュ作成・登録処理において、モンタージュ作成処理（ＳＤ３）は、図２３に示したフローチャートに従って行われ、先ずゼネラルフローのＳＡ２でＲＡＭ２７に記憶された「国籍」「時代」「職業」等の条件に全て該当する該当者の基本型顔のＲＯＭから各パーツパターンを読み出す（ＳＥ１）。すなわち、例えば、図１に示したように、国籍「エジプト」、時代「１９９０」、職業「石油売り」が予め記憶されていたとすると、これらの条件に全て該当する該当者の基本型顔を図４及び図６〜１０に示したいずれかのＲＯＭから選択し、この選択した基本型顔を構成する部位のパーツパターンＮＯ．を対応するパーツパターンＮＯ．ＲＯＭから読み出す。
【００３６】
次に、この読み出した各パーツパターンＮＯ．をＲＡＭ２７の基本型顔エリア２７３に記憶するとともに、変更パーツ１を設定する（ＳＥ２）。このＳＥ２の処理により、図１６に示したＲＡＭ２７において基本型顔エリア２７３の輪郭〜口までの各領域に、前記基本型顔を構成する輪郭〜口までの各部位のパーツパターンＮＯ．が各々記憶される。なお、ここで変更パーツ１とは、基本型顔エリア２７３に記憶されている輪郭から口までの各部位のパーツのうち、最初のパーツである輪郭パーツを意味する。
【００３７】
次に、データ合成（ＳＥ３）を実行するが、このデータ処理は図２４に示したフローチャートに従って行われる。すなわち、基本型顔エリア２７３に記憶されたパーツパターンＮＯ．のなかから、まず、輪郭パーツパターンＮＯ．を読み取って（ＳＦ１）、この読み取った輪郭パーツパターンＮＯ．に対応するパーツパターンデータを合成ＲＡＭ２８に転送し（ＳＦ２）、次に、髪型パーツパターンＮＯ．を読み取って（ＳＦ３）、この読み取った髪型パーツパターンＮＯ．に対応するパーツパターンデータを合成ＲＡＭ２８に転送する（ＳＦ４）。さらに、目、鼻、口・鼻等の他の部位についても同様の処理を行った後（ＳＦ５）、合成ＲＡＭ２８で合成したモンタージュ画像を表示部５に表示する（ＳＦ６）。よって、図２３のモンタージュ作成処理が実行開始された直後においては、このＳＦ６の処理により表示部５には、前記「国籍」「時代」「職業」等の条件を満たした該当者の基本型顔のモンタージュ画像が表示される（図１参照）。
【００３８】
一方、図２３のＳＥ３に続くＳＥ４では、表示処理を行った後、△▽キー８，９が操作された場合には（ＳＥ５）基本型の変更を行い（ＳＥ６）、上下矢印キー１２，１３が操作された場合には（ＳＥ７）パーツ種類（髪型、目等）の変更を行い（ＳＥ８）、左右矢印キー１０，１１が操作された場合には（ＳＥ９）パーツパターンの変更を行う（ＳＥ１０）。したがって、このＳＥ５〜ＳＥ１０の判別処理により、ＲＡＭ２７の基本型顔エリア２７３に記憶されている輪郭〜口までのパーツパターンＮＯ．が逐次変化し、この逐次変化したパーツパターンＮＯ．に基づく顔のモンタージュ画像がデータ合成されて（ＳＥ３）、表示部５に表示される。そして、ユーザーが希望する顔のモンタージュ画像が作成されて表示部５に表示された際にＯＫキー１４を操作すると（ＳＥ１１）、この時点で基本顔エリア２７３に記憶されている希望する顔を形成するモンタージュデータ（輪郭から口までのパーツパターンＮＯ．）を、ＲＡＭ２７の個人データに対応するモンタージュデータエリア２７５に記憶する（ＳＥ１２）。
【００３９】
また、ゼネラルフローの口変化設定処理（ＳＡ４）は、図２５に示したフローチャートに従って行われ、先ず、１つの登録済モンタージュ画像を選択する。
すなわち、前述したモンタージュ作成処理（ＳＡ３）により、ＲＡＭ２７のモンタージュデータエリア２７５には、各項目１、２、・・・ごとに対応する個人のモンタージュデータが記憶されており、このモンタージュデータのなかから、口変化設定を希望するいずれかの個人のモンタージュデータを選択する（ＳＧ１）。
次に、口変化設定キー１８の操作を待ち（ＳＧ２）、口変化キー１８が操作されたならば、選択された登録済モンタージュ画像の口パターン番号と対応する口パターンデータを読み出す（ＳＧ３）。
【００４０】
すなわち、例えば図３に示したＮＯ．１の口パーツパターンが当該個人のモンタージュデータとして記憶されていたとすると、これに対応する口パターンデータは、図１１のＮＯ．１の行に記憶されているデータであり、このＮＯ．１の行に記憶されている各パターンが全て読み出される。引き続き、口パターンを一括表示し（ＳＧ４）、このＳＧ４の処理により「無音  あ  い  う・・・」の文字表示に対応する形態の口パターンが表示部５に表示される。そこで、ユーザーが発生させる言語との関係を考慮してデータ入力キー２３を操作し、これにより例えば「う」が入力されると、入力された「う」に対応する口パターンを選択する（ＳＧ５）。さらに、ユーザーがデータ入力キー２３を操作し、これにより時間が入力されると、「う」の口パターンに対応する時間を設定する（ＳＧ６）。
【００４１】
次に、選択された口パターンと共に設定した時間データをＲＡＭ（図１７の口パーツパターン対応時間ＲＡＭ）に記憶する（ＳＧ７）。さらに、この口パーツパターン対応時間ＲＡＭのアドレスをインクリメントした後（ＳＧ８）、ＯＫキー１４が操作されたか否かを判別し（ＳＧ９）、ＯＫキー１４が操作されていなければＳＧ４からの処理を繰り返す。よって、ＯＫキー１４が操作されるまで、ＳＧ４〜ＳＧ９のループが繰り返され、これにより口パーツパターン対応時間ＲＡＭには、図１７に例示したように、アドレス順にユーザーが選択した口パーツパターンと、設定した時間とが対応して記憶される。
【００４２】
また、ゼネラルフローの検索・出力処理（ＳＡ５）は、図２６及び図２７に示した一連のフローチャートに従って行われる。
すなわち、この検索・出力処理は、検索・出力キー１９の操作により開始され（ＳＨ１）、検索・出力キー１９が操作されたならば、データ入力キー２３の操作により入力された名前、電話番号、国籍名、職業名等のいずれかの個人データに対応するデータをＲＡＭ２７の個人データエリア２７４にて検索する（ＳＨ２）。
そして、入力された名前等と一致するデータが個人データエリア２７４に存在するか否かを判別して（ＳＨ３）、一致するデータが存在しない場合には「データが見つかりません」を表示部５に表示する（ＳＨ４）。
【００４３】
また、一致するデータが存在した場合には、対応の個人データ・モンタージュデータであるパーツ画像を指定するためのパーツパターンＮＯ．データをＲＡＭ２７の個人データエリア２７４とモンタージュデータエリア２７５から各々読み出す（ＳＨ５）。
しかる後に、このモンタージュデータエリア２７５から読み出した一組の各パーツパターンＮＯ．が示すパーツ画像であるパーツパターンを組み合わせて、似顔絵画像であるモンタージュ画像を合成方式で作成する（ＳＨ６）。
【００４４】
引き続き、個人データと合成されたモンタージュ画像とを表示部５に表示し（ＳＨ７）、これにより、図２９の（Ａ）に示したように国籍、時代・・・名前等の個人データとともに、当該個人のモンタージュ画像（この例の場合、２歳の子供の似顔絵画像）が表示される。
さらに、自己紹介キー２０が操作されたか否かを判別し（ＳＨ８）、自己紹介キー２０が操作されたならば、対応する個人の「使用言語」「性別」「年令」から使用する音声の種類を決め、「使用言語」「声の質」とともに、個人データ・モンタージュ画像を一括表示する（ＳＨ９）。このＳＨ９の処理により、図２９の（Ａ）に示したように、個人データのみならず「使用言語：日本語」「声の質：男子、子供声」が表示部５に表示される。
【００４５】
さらに、ＲＡＭ２７のその他のエリア２６７に記憶されている個人データを一語または一単語単位で読み出すとともに（ＳＨ１０）、読み出した時点でタイマー３０をクリアしておく（ＳＨ１１）。
次に、「使用言語」「声の質」に対応する音声データＲＯＭ（図１２）から、読み出された一語または一単語に対応する音声データを読み出す（ＳＨ１２）。引き続き、読み出された音声データを音声合成部３１に送出するとともに、口パーツパターン対応時間ＲＡＭ（図１７）から口パターンデータを読み出して、合成ＲＡＭ２８に送出し（ＳＨ１３）、音声出力及び合成されたモンタージュ画像の表示を行う（ＳＨ１４）。
しかる後に、所定時間（口パーツパターン対応時間ＲＡＭに記憶されている時間）が経過したか否かを判別し（ＳＨ１５）、経過したならば個人データの読み出しを終了したか否かを判別して（ＳＨ１６）、終了するまでＳＨ１０から処理判別を繰り返す。
【００４６】
したがって、個人データの読み出しが終了するまで、ＳＨ１０〜ＳＨ１６の処理判別が繰り返される。よって、図１６に例示したようにＲＡＭ２７に個人データとして「に  ほ  ん・・・」が記憶され、また、図１７の口パーツパターン対応時間ＲＡＭに「に  ほ  ん・・・」の口の動きに対応する口パーツパターンが記憶されていたとすると、図２９の（Ａ）（Ｂ）（Ｃ）に示したように、放音部１６からは所定時間（口パーツパターン対応ＲＡＭに記憶されている時間）を経過するごとに「に」「ほ」「ん」・・・の音声が発生し、かつ、表示されているモンタージュ画像Ｎ１の口部が「に」「ほ」「ん」の発音とともに、口部Ｎａ〜Ｎｃのように置き換えられて変化する。
また、他の個人データを入力してこれと一致するデータが存在した場合であって、自己紹介キー２０が操作された場合にも同様に、図３０に示したように、放音部１６からは当該個人の個人データに基づく音声「ユー・エス・エー・・・」が発生するとともに、表示されているモンタージュ画像の口部が音声に応じて変化するのである。
【００４７】
【発明の効果】
以上説明したように、この発明によれば、次の効果を奏することができる。
すなわち、請求項１記載の発明によれば、複数のパーツ画像を組み合わせた似顔絵画像が表示部に表示された後、記憶されている時間データに対応する時間が経過したか否かを判断し、時間が経過したと判断される都度、前記表示されている一部のパーツ画像に代えて他のパーツ画像を順番に読み出し、この読み出されたパーツ画像を順番に置き換え、似顔絵画像の一部が動いているように表示させることができる。
【００４８】
請求項２記載の発明によれば、複数のパーツ画像を組み合わせた似顔絵画像が表示部に表示された後、記憶されている経過時間データに対応する時間が経過したか否かを判断し、時間が経過したと判断される都度、前記経過時間データに対応付けて記憶されている指定データを順次読み出し、この読み出された指定データにて指定されるパーツ画像を順次読み出し、前記表示中の似顔絵画像の一部をこの読み出されたパーツ画像で順番に置き換え、似顔絵画像の一部が動いているように表示させることができる。
【００４９】
請求項３記載の発明によれば、記憶されている各パーツ画像を選定するとともに、前記口のパーツ画像については一連の複数の口のパーツ画像を選定し、この選定された各パーツ画像を指定するための第１の指定データを記憶するとともに、口のパーツ画像については選定された順番に複数の口のパーツ画像を指定するための第２の指定データを記憶することができる。また、この記憶されている第１および第２の各指定データにより指定されるパーツ画像を組み合わせて作成された似顔絵画像が表示された後に、予め定められている経過時間が経過するか否かを判断し、この結果、予め定められている経過時間が経過すると判断される都度、記憶されている第２の指定データを前記選定された順番に読み出し、この読み出された第２の指定データにより指定される口のパーツ画像を順番に置き換えてゆき、似顔絵画像の口が動いているように表示させることができる。
よって、似顔絵画像の全体の中で、使用者により設定された口のパーツ画像の順番で顔の口が動いているように表現させることができる。
【図面の簡単な説明】
【図１】本発明の一実施例を適用した電子手帳の平面図である。
【図２】同実施例の全体構成を示すブロック図である。
【図３】パーツパターンＲＯＭの記憶状態を示す模式図である。
【図４】基本型国籍別顔ＲＯＭの記憶状態を示す模式図である。
【図５】基本型国籍別用パーツパターンＮＯ．ＲＯＭの記憶状態を示す模式図である。
【図６】基本型時代別顔ＲＯＭの記憶状態を示す模式図である。
【図７】基本型職業別顔ＲＯＭの記憶状態を示す模式図である。
【図８】基本型年令別顔ＲＯＭの記憶状態を示す模式図である。
【図９】基本型性別顔ＲＯＭの記憶状態を示す模式図である。
【図１０】基本型特徴顔別顔ＲＯＭの記憶状態を示す模式図である。
【図１１】口パーツパターンＮＯ．ＲＯＭの記憶状態を示す模式図である。
【図１２】音声データＲＯＭの記憶状態を示す模式図である。
【図１３】国籍対応使用言語ＲＯＭの記憶状態を示す模式図である。
【図１４】性別・年令層ＲＯＭの記憶状態を示す模式図である。
【図１５】国籍対応使用言語ＲＯＭと性別・年令層ＲＯＭとに記憶された符号による組み合わせ例を示す図である。
【図１６】ＲＡＭの記憶状態を示す模式図である。
【図１７】口パーツパターン対応時間ＲＡＭの記憶状態を示す模式図である。
【図１８】本実施例のゼネラルフローである。
【図１９】基本型顔モンタージュ表示処理の内容を示すフローチャートである。
【図２０】図１９に続くフローチャートである。
【図２１】個人データ登録処理の内容を示すフローチャートである。
【図２２】モンタージュ作成・登録処理の内容を示すフローチャートである。
【図２３】モンタージュ作成処理の内容を示すフローチャートである。
【図２４】データ合成処理の内容を示すフローチャートである。
【図２５】口変化設定処理の内容を示すフローチャートである。
【図２６】検索・出力処理の内容を示すフローチャートである。
【図２７】図２６に続くフローチャートである。
【図２８】表示部の表示状態の一例を示す図である。
【図２９】自己紹介キーを操作した場合における表示部の表示状態と放音部からの放音状態の一例を示す図である。
【図３０】自己紹介キーを操作した場合における表示部の表示状態と放音部からの放音状態の他の例を示す図である。
【符号の説明】
５  表示部
６  基本型顔キー
１６  放音部
１７  モンタージュ作成キー
１８  口変化設定キー
２０  自己紹介キー
２３  データ入力キー
２５  ＣＰＵ
２６  ＲＯＭ
２７  ＲＡＭ
２８  合成ＲＡＭ
３１  音声合成部
【図１】
0003567261.tif 000002
【図２】
0003567261.tif 000003
【図３】
0003567261.tif 000004
【図４】
0003567261.tif 000005
【図５】
0003567261.tif 000006
【図６】
0003567261.tif 000007
【図７】
0003567261.tif 000008
【図８】
0003567261.tif 000009
【図９】
0003567261.tif 000010
【図１０】
0003567261.tif 000011
【図１１】
0003567261.tif 000012
【図１２】
0003567261.tif 000013
【図１３】
0003567261.tif 000014
【図１４】
0003567261.tif 000015
【図１５】
0003567261.tif 000016
【図１６】
0003567261.tif 000017
【図１７】
0003567261.tif 000018
【図１８】
0003567261.tif 000019
【図１９】
0003567261.tif 000020
【図２０】
0003567261.tif 000021
【図２１】
0003567261.tif 000022
【図２２】
0003567261.tif 000023
【図２３】
0003567261.tif 000024
【図２４】
0003567261.tif 000025
【図２５】
0003567261.tif 000026
【図２６】
0003567261.tif 000027
【図２７】
0003567261.tif 000028
【図２８】
0003567261.tif 000029
【図２９】
0003567261.tif 000030
【図３０】
0003567261.tif 000031